(57)【要約】      （修正有）【課題】消費者が独自の用途との関係でペットボトルを再利用することができるようにする飲料用容器支持台及び容器用蓋を提供する。【解決手段】支持孔５に支持用の飲料用容器３ａを挿入し、引掛孔７に保持用の飲料用容器３ｂを挿入し、鍔部６に引掛させる。飲料用容器３を組み合わせることにより、支持用の飲料用容器３ａ及び保持用の飲料用容器３ｂの底部計３点で飲料用容器支持台１を設置することができ、これに用いる飲料用容器３としてペットボトルを再利用することができる。保持用の飲料用容器３ｂよりも大きい飲料用容器３ａが支持用に用いられる結果、保持用の飲料用容器３ｂによって抵位置で安定性良く保持された飲料用容器支持台１によって、高位置に達する支持用の飲料用容器３ａを固定することができる。【選択図】図１
2010023861.tif 000002
【特許請求の範囲】
【請求項１】
板状部材を用いてなり支持用の飲料用容器の胴部を挿入できる程度の径を有する支持孔を１孔以上有し、前記支持用の飲料用容器よりも底部から口部までの高さが低い保持用の飲料用容器の鍔部に引掛する程度の径を有する引掛孔を２孔以上有し、少なくとも１の支持孔と２の引掛孔相互の中心を結ぶ連続線が曲線を形成する位置関係で前記１孔以上の支持孔と前記２孔以上の引掛孔を配置してなることを特徴とする飲料用容器支持台。
【請求項２】
板状部材を用いてなり支持用の飲料用容器の胴部を挿入できる程度の径を有する支持孔を１孔以上有し、保持用の飲料用容器の胴部を挿入できる程度の径を有する引掛孔を２孔以上有し、前記支持孔が前記引掛孔よりも大径にされてなり、少なくとも１の支持孔と２の引掛孔相互の中心を結ぶ連続線が曲線を形成する位置関係で前記１孔以上の支持孔と前記２孔以上の引掛孔を配置してなることを特徴とする飲料用容器支持台。
【請求項３】
板状部材を用いてなり、支持用の飲料用容器の胴部を挿入できる程度の径を有する支持孔を１孔以上有し、前記支持用の飲料用容器よりも底部から口部までの高さが低い保持用の飲料用容器の鍔部に引掛する程度の径を有する引掛孔を２孔以上有する上支持板と、支持用の飲料用容器の胴部を挿入できる程度の径を有する支持孔を１孔以上有し、保持用の飲料用容器の胴部を挿入できる程度の径を有する引掛孔を２孔以上有し、前記支持孔が前記引掛孔よりも大径にされてなる下支持板とを有し、前記上支持板及び下支持板それぞれに設けられる支持孔及び引掛孔は、少なくとも１の支持孔と２の引掛孔相互の中心を結ぶ連続線が曲線を形成する位置関係で配置され、かつ、上支持板及び下支持板それぞれの各支持孔に一の支持用の飲料用容器の胴部を挿入した状態で下支持板の引掛孔に胴部を挿通した２以上の保持用の飲料用容器の鍔部を上支持板の引掛孔に挿通可能とされてなることを特徴とする飲料用容器支持台。
【請求項４】
支持孔及び／又は引掛孔には、飲料用容器を係止する係止手段が設けられる請求項１〜請求項３のいずれか一に記載した飲料用容器支持台。
【請求項５】
前記支持用の飲料用容器及び／又は保持用の飲料用容器の口部に螺合される雌ネジを備える本体の上面に取り付けられるねじ部材と、前記ねじ部材に連結される他のねじ部材とよりなり、前記他のねじ部材が機能部を備える容器用蓋が装着される請求項１〜請求項４のいずれか一に記載した飲料用容器支持台。
【請求項６】
前記機能部が固設用留め機能及び連結機能及び連通機能のうち少なくともいずれか一を備える請求項５に記載の飲料用容器支持台。
【請求項７】
前記板状部材が太陽電池パネルである請求項１〜請求項６のいずれか一に記載した飲料用容器支持台。
【請求項８】
前記飲料用容器がペットボトルである請求項１〜請求項７のいずれか一に記載した飲料用容器支持台。
【請求項９】
前記飲料用容器がアルミ缶である請求項１〜請求項７のいずれか一に記載した飲料用容器支持台。
【請求項１０】
飲料用容器の口部に雌ネジを螺合して着脱自在に装着される本体の上面に取り付けられるねじ部材と、前記ねじ部材に連結される他のねじ部材とよりなり、前記他のねじ部材が機能部を備えることを特徴とする容器用蓋。
【請求項１１】
前記機能部が固設用留め機能及び連結機能及び連通機能のうち少なくともいずれか一を備える請求項１０に記載の飲料用容器用蓋
【請求項１２】
前記飲料用容器がペットボトルである請求項１０又は請求項１１に記載した飲料用容器蓋。
【請求項１３】
前記飲料用容器がアルミ缶である請求項１０又は請求項１１に記載した飲料用容器蓋。
【発明の詳細な説明】
【技術分野】
【０００１】
この発明は、使い捨ての容器、例えば、飲料用のスチール缶やアルミ缶または飲料用や薬剤用あるいは調味料用のペットボトル等の容器を再利用するための飲料用容器支持台及び容器用蓋に関する。
【背景技術】
【０００２】
近年、スチール缶やアルミ缶あるいはペットボトル等のビールやコーヒーまたはジュース等の飲料用の容器は、円筒状に形成され、持ちやすく開封も極めて容易に行なえるように形成されて、店頭に並べられたり自動販売機に収納されて、いつでも誰でも手軽に購入できるようになり多量に消費されている。
特に、ポリエチレンテレフタレート（ＰＥＴ）の延伸吹き込み成形により得られるペットボトルは、、飲み口が狭小で本体部が大径の円筒状に形成されて軽量かつ丈夫で、安価でもあり、コーラーやジュース、飲料水等の各種飲料を収納する容器等として広く用いられている。このペットボトルの注ぎ口（口部）の口径は内容量の大小に拘らず約２７ｍｍに標準化されている。
【０００３】
図１１は一般的な形態のペットボトルを示す。ペットボトル３１は、ポリ系高分子で形成され、容器本体３２と容器本体３２の口部３３に螺合するキャップ（図示せず）とを有して構成され、容器本体３２の側面部には、中央部の中央溝（図示せず）を挟んで上部が曲線状に形成され下部が直線状に形成されている。
その容器本体３２の上部に形成された口部３３には、閉栓用の雄螺子３３１が形成され、かつ、その下方位置には、ピルファープルーフ用の係止リング３１６を保持するための周凸状の掛止フランジ３４が形成されている。
口部３３の口径は約２７ｍｍであり、また容量は通常５００ｍｍリットル以下、５００ｍｍリットル、１リットルあるいは１．８リットルで容器本体３２の中央部胴部の直径が約６５ｍｍ、約９５ｍｍ程度で１００ｍｍ以下のものが一般に飲料用容器として用いられている。
これらのペットボトル３１やアルミ缶等の飲料用容器は軽量安価であり、しかも清潔であって腐食しないという特徴があることから特に飲料の収容をその用途として汎用されている。またその機能性を向上するための各種の提案が行われている。
【０００４】
例えば特許文献１では、容器の開口部外周に形成された雄ねじ部に螺合部を強く螺合した出荷時の状態においては、容器の開口端面に螺合部の環状シール段部が強く当接することにより、該環状シール段部に対し上端開口部が接続された筒状下部収容部および該筒状下部収容部の下端開口部を密閉する切開可能な耐水性仕切り蓋によって容器の開口部が閉塞されると共に、飲料水等が収容された容器内と蓋体におけるお茶の粉等の飲料添加物が収容された空間、即ち、蛇腹状上部収容部および筒状下部収容部内との間が完全に仕切られた状態となる。従って、飲用直前までお茶の粉等の飲料添加物の品質を保持することができるようになる容器の蓋体構造が開示された。
【０００５】
また特許文献２はリサイクルという観点から、キャップの残材リングの部分もネジ式になっていてボトルから取り外せるのみならず、形状が簡単で、製造コストも抑えることができるリサイクルボトルキャップを開示した。
【０００６】
ペットボトル３１やアルミ缶等の飲料用容器は、使用後、家庭内の廃棄場所に一時保管して、ごみ収集場に置くか、また、自動販売機付近に設置されている空き缶入れに捨てるようにしている。
しかしペットボトル３１はそのまま捨てられた場合は自然分解されずに永遠にゴミとして残ってしまう。また、リサイクルする場合は一端ペットボトルを細かく断裁して溶解し、他の製品等に再利用する必要があるため、ある程度のコストがかかってしまう。
このリサイクルという観点については、ペットボトルは、焼却処分すると有害ガスを発生する問題があるため容器包装リサイクル法が施行され、ペットボトルの回収・再利用を図ることが義務付けられた。その結果、廃棄ペットボトルが射出成形品・押出成形品等の成形用原料としてリサイクルされることが多くなった。
【０００７】
しかし、現状はペットボトルの回収率に対し、射出成形品・押出成形品等の成形用原料としてリサイクルするリサイクル率の割合は充分ではない。
一方、ペットボトルは取り扱いが簡単で容器としての汎用性は高いため、使用済みのものを再利用したいという要望も高まってきた。特にペットボトルでも容量が５００ｍｍリットル以下、５００ｍｍリットル、１リットルあるいは１．８リットルで胴部が約６５ｍｍ、約９５ｍｍ程度で１００ｍｍ以下のペットボトルの場合には、幸いに丁度手頃な大きさであることと、その素材としての強靭さやきれいな透明感を有していることから、庭の片隅や果樹園等に設置して簡便な鳥害防止具の一つとして積極的に再利用したり等の加工、利用の幅が進んでいて、使用済みペットボトルを、単にそのまま回収処理して再生原料とするだけではなく、様々な再利用の仕方が工夫され、少しでも付加価値のあるものにしようとする試みが既に軌道に載ろうとしている。
すなわち単に射出成形品・押出成形品等の成形用原料としてリサイクルするということではなく、使用後のペットボトル自体をそのまま再利用する多くの提案が行われている。
【０００８】
例えば特許文献３は三脚を用いずに固定できるカメラを提供することを目的として、カメラ本体の外面に、ペットボトルのボトルキャップに対応した形状で窪むように形成され、前記ボトルキャップの嵌合により前記カメラ本体を前記ペットボトルに固定するための嵌合穴を備えたカメラを開示した。ペットボトルをカメラの脚にする発明を開示する。しかし、ペットボトルが倒れやすい問題があった。
【０００９】
特許文献４は２個のペットボトルをジョイントさせ一方のペットボトルを使用目的にあわせ切断し他方のペットボトルを備蓄用として利用するジョイント用キャップを開示した。
【００１０】
特許文献５は一般家庭のベランダやビルの屋上さらに学校の通路等といった土壌の存在しないところでも植物栽培が簡易かつ経済的にでき、ペットボトルを再利用することができる給水分岐パイプ及びこれを用いた植物栽培ユニットであって、水平パイプと垂直パイプが連通されるように連結された給水分岐パイプの水平方向に繋がれた複数の栽培容器と該給水分岐パイプの垂直上方向に繋がれた少なくとも一つの貯水タンクとで構成され且つ栽培容器と貯水タンクが給水分岐パイプの結合部に装着された雌ネジを有するキャップで繋がれている給水分岐パイプ及びこれを用いた植物栽培ユニットを開示した。
【特許文献１】特開２００６−１３１２８３号公報
【特許文献２】特開２００７−１０６４５１号公報
【特許文献３】特開２００７−４７７０５号公報
【特許文献４】特開２００８−７２００号公報
【特許文献５】特開２００６−１３６３０９号公報
【発明の開示】
【発明が解決しようとする課題】
【００１１】
しかし、特許文献３〜特許文献５に開示されたペットボトルの再利用に関する従来の提案は何れもカメラの脚や植物栽培ユニット等の特定の用途との関係でのみ利用が図られるものであって、汎用性が乏しいという問題があった。
【００１２】
この発明は、以上の問題点に鑑み、消費者が独自の用途との関係でペットボトルを再利用することができるようにする飲料用容器支持台及び容器用蓋を提供することを目的とする。
【課題を解決するための手段】
【００１３】
この発明の飲料用容器支持台は、支持用の飲料用容器の胴部を挿入できる程度の径を有する支持孔を１孔以上有し、前記支持用の飲料用容器よりも底部から口部までの高さが低い保持用の飲料用容器の鍔部に引掛する程度の径を有する引掛孔を２孔以上有し、少なくとも１の支持孔と２の引掛孔相互の中心を結ぶ連続線が曲線を形成する位置関係で前記１孔以上の支持孔と前記２孔以上の引掛孔を配置してなることを特徴とする。
【００１４】
さらにこの発明の飲料用容器支持台は、支持用の飲料用容器の胴部を挿入できる程度の径を有する支持孔を１孔以上有し、保持用の飲料用容器の胴部を挿入できる程度の径を有する引掛孔を２孔以上有し、前記支持孔が前記引掛孔よりも大径にされてなり、少なくとも１の支持孔と２の引掛孔相互の中心を結ぶ連続線が曲線を形成する位置関係で前記１孔以上の支持孔と前記２孔以上の引掛孔を配置してなることを特徴とする。
【００１５】
加えてこの発明の飲料用容器支持台は、板状部材を用いてなり、支持用の飲料用容器の胴部を挿入できる程度の径を有する支持孔を１孔以上有し、前記支持用の飲料用容器よりも底部から口部までの高さが低い保持用の飲料用容器の鍔部に引掛する程度の径を有する引掛孔を２孔以上有する上支持板と、支持用の飲料用容器の胴部を挿入できる程度の径を有する支持孔を１孔以上有し、保持用の飲料用容器の胴部を挿入できる程度の径を有する引掛孔を２孔以上有し、前記支持孔が前記引掛孔よりも大径にされてなる下支持板とを有し、前記上支持板及び下支持板それぞれに設けられる支持孔及び引掛孔は、少なくとも１の支持孔と２の引掛孔相互の中心を結ぶ連続線が曲線を形成する位置関係で配置され、かつ、上支持板及び下支持板それぞれの各支持孔に一の支持用の飲料用容器の胴部を挿入した状態で下支持板の引掛孔に胴部を挿通した２以上の保持用の飲料用容器の鍔部を上支持板の引掛孔に挿通可能とされてなることを特徴とする。
【００１６】
前記支持孔は、支持用の飲料用容器を係止する係止手段を有するのがよい。
前記引掛孔は、保持用の飲料用容器を係止する係止手段を有するのがよい。
【００１７】
前記支持用の飲料用容器及び／又は保持用の飲料用容器の口部に螺合される雌ネジを備える本体の上面に取り付けられるねじ部材と、前記ねじ部材に連結される他のねじ部材とよりなり、前記他のねじ部材が機能部を備える容器用蓋が装着されるようにしてもよい。
【００１８】
前記板状部材に太陽電池パネルを用いることができる。
【００１９】
加えてこの発明の容器用蓋は、飲料用容器の口部に雌ネジを螺合して着脱自在に装着される本体の上面に取り付けられるねじ部材と、前記ねじ部材に連結される他のねじ部材とよりなり、前記他のねじ部材が機能部を備えることを特徴とする。
【００２０】
前記機能部は固設用留め機能及び連結機能及び連通機能のうち少なくともいずれか一を備えるようにすることができる。
【００２１】
前記飲料用容器としてペットボトル若しくはアルミ缶を用いることができる。
［作用］
【００２２】
この発明に係る飲料用容器支持台は、引掛孔相互の中心を結ぶ連続線が曲線を形成する位置関係で前記１孔以上の支持孔と前記２孔以上の引掛孔を配置してなるので、１つ以上の支持孔にペットボトル等の支持用の飲料用容器を挿入し、２つ以上の引掛孔にペットボトル等の保持用の飲料用容器の鍔部を引掛することにより飲料用容器の底部３点以上で飲料用容器支持台を設置することができる。
【００２３】
またこの発明に係る飲料用容器支持台は、上支持板及び下支持板それぞれの各支持孔に一の支持用の飲料用容器の胴部を挿入した状態で下支持板の引掛孔に胴部を挿通した２以上の保持用の飲料用容器の鍔部を上支持板の引掛孔に挿通可能とされてなるので、上支持板における１つ以上の支持孔にペットボトル等の支持用の飲料用容器を挿入し、２つ以上の引掛孔にペットボトル等の保持用の飲料用容器の鍔部を引掛し、下支持板における上支持板の支持孔位置と略同一位置に備えた支持孔にペットボトル等の支持用の飲料用容器を挿入し、上支持板の引掛孔位置と略同一位置に備えた引掛孔にペットボトル等の保持用の飲料用容器を挿入することにより飲料用容器の底部３点以上で設置することができる。
また、支持孔及び引掛孔が係止手段を有することにより、より強固に飲料用容器支持台を設置面に対し設置できる。
【発明の効果】
【００２４】
この発明に係る飲料用容器支持台においては、ペットボトル若しくはアルミ缶等の飲料用容器の底部３点以上だけで飲料用容器を用いた支持台を設置することができ、消費者が独自の用途に向けて使用済みの飲料用容器を再利用することができる。
【発明を実施するための最良の形態】
【００２５】
［第一の実施の形態］
図１（ａ）（ｂ）に示すようにこの発明における第一の実施の形態の飲料用容器支持台１は、板状部材２を用いてなり支持用の飲料用容器３ａの胴部４を挿入できる程度の径を有する支持孔５を１孔有し、支持用の飲料用容器３ａよりも底部から口部までの高さｈが低い保持用の飲料用容器３ｂの鍔部６に引掛する程度の径を有する引掛孔７を２孔有し、１つの支持孔５と、２つの引掛孔７と、の相互の中心を結ぶ連続線Ｌが曲線を形成する位置関係で配置される。支持孔５と引掛孔７との相互の中心を結ぶ連続線Ｌは無限大未満の曲率を有する曲線（非直線）を形成する。
【００２６】
飲料用容器支持台１の板状部材２は略三角形状にされ、その厚みは、飲料用容器３を支持する際に支障を来たさない程度の厚さとされる。この飲料用容器支持台１の材質は、木材であれば飲料用容器支持台１自体が資源を有効に利用でき、透明性を有している樹脂材等を用いれば視覚的に美観を演出できる。
【００２７】
図１（ｂ）に示すように、支持孔５に支持用の飲料用容器３ａを挿入し、引掛孔７に保持用の飲料用容器３ｂを挿入し、鍔部６に引掛させる。本実施の形態では保持用の飲料用容器３ｂよりも大きい飲料用容器３ａが支持用に用いられる結果、保持用の飲料用容器３ｂによって抵位置で安定性良く保持された飲料用容器支持台１によって、高位置に達する支持用の飲料用容器３ａを固定することができる。
本実施の形態では以上の様に飲料用容器３を組み合わせることにより、支持用の飲料用容器３ａ及び保持用の飲料用容器３ｂの底部計３点で飲料用容器支持台１を設置することができ、これに用いる飲料用容器３としてペットボトルを再利用することができる。なお、飲料用容器３はアルミ缶でもよい。
【００２８】
以上の第一の実施の形態の飲料用容器支持台１では、その板状部材２の表面に多様なキャラクタを表示してもよい。その場合に１つの支持孔５と２つの引掛孔７との相互の中心を結ぶ連続線Ｌが曲線を形成する位置関係で配置されるので、２つの引掛孔７がキャラクタの両眼に相当し、１つの支持孔５がキャラクタの口部に相当するという表現も可能となる。
【００２９】
図２には板状部材２を用いてなり支持用の飲料用容器３ａの胴部４を挿入できる程度の径を有する支持孔５を１孔有し、保持用の飲料用容器３ｂの鍔部６に引掛する程度の径を有する引掛孔７を２孔有し、１つの支持孔５と２つの引掛孔７との相互の中心を結ぶ連続線Ｌが直線を形成する位置関係である場合を示す。この場合には、支持孔５と、２つの引掛孔７と、の相互の中心を結ぶ連続線Ｌが曲線を形成する位置関係で配置されない結果、板状部材２の支持孔５に支持用の飲料用容器３ａの胴部４を挿入し、引掛孔７に保持用の飲料用容器３ｂの鍔部６を装着しても安定性は得られず、この発明の実施の形態である飲料用容器支持台１は構成されない。
【００３０】
［第二の実施の形態］］
図３（ａ）に示すようにこの発明における第二の実施の形態の飲料用容器支持台１は、略円形状の板状部材２を用いてなり支持用の飲料用容器３ａの胴部４を挿入できる程度の径を有する支持孔５を板状部材２の中心位置に１孔有し、支持用の飲料用容器３ａよりも底部から口部までの高さｈが低い保持用の飲料用容器３ｂの鍔部６に引掛する程度の径を有する引掛孔７を支持孔５の周囲位置に３孔有し、支持孔５と何れか任意の２つの引掛孔７相互の中心を結ぶ連続線Ｌが曲線を形成する位置関係で支持孔５と２孔以上の引掛孔７を配置してある。
【００３１】
図３（ｂ）に使用例を示すように、飲料用容器３を組み合わせることにより、飲料用容器３の底部計４点で飲料用容器支持台１を設置することができ、使用済みペットボトル等を再利用できる。
【００３２】
［第三の実施の形態］
図４に示すようにこの発明における第三の実施の形態の飲料用容器支持台１は、ほぼ正方形状の四隅を円弧状に面取りしてある板状部材２を用いてなり支持用の飲料用容器３ａの胴部４を挿入できる程度の径を有する支持孔５を１孔有し、支持用の飲料用容器３ａよりも底部から口部までの高さｈが低い保持用の飲料用容器３ｂの鍔部６に引掛する程度の径を有する引掛孔７を８孔有し、１つの支持孔５と少なくとも２つの引掛孔７相互の中心を結ぶ連続線Ｌが曲線を形成する位置関係で１孔以上の支持孔５と２孔以上の引掛孔７を配置してある。
【００３３】
この第三の実施の形態の飲料用容器支持台１は、板状部材２の略中央に支持孔５を１つ有し、支持孔５を中心に等距離離れた円周上に引掛孔７を４孔有し、さらに支持孔５を中心に等距離離れた別の円周上に引掛孔７を４孔有している。
【００３４】
図４（ｂ）の使用例に示すように、支持孔５に支持用の飲料用容器３ａを挿入し、引掛孔７に保持用の飲料用容器３ｂを挿入し、鍔部６に引掛させる。
飲料用容器支持台１に飲料用容器３を組み合わせることにより、飲料用容器３の底部計１０点で飲料用容器支持台１を設置することができ、使用済みペットボトルを用いてその再利用が可能となる。
【００３５】
［第四の実施の形態］
図５（ａ）に示すように、第四の実施の形態の飲料用容器支持台１は上支持板１ａと、下支持板１ｂとを有する。上支持板１ａは図４に示す飲料用容器支持台１を用いることができる。
下支持板１ｂは、上支持板１ａと略同一形状であり、略同一位置に支持孔５及び引掛孔７を有する。下支持板１ｂにおける支持孔５は、支持用の飲料用容器３ａの胴部４を挿入できる程度の径を有する。
下支持板１ｂにおける引掛孔７は、保持用の飲料用容器３ｂの胴部４を挿入できる程度の径を有する。
【００３６】
図５（ｂ）に第四の実施の形態の飲料用容器支持台１の使用例を示す。
上支持板１ａ及び下支持板１ｂそれぞれの支持孔５に支持用の飲料用容器３ａを挿入する。下支持板１ｂの引掛孔７に保持用の飲料用容器３ｂを挿入し、上支持板１ａの引掛孔７に保持用の飲料用容器３ｂにおける鍔部６を引掛させる。
上支持板１ａと下支持板１ｂとで構成する飲料用容器支持台１に飲料用容器３を組み合わせることによって、飲料用容器３の底部計１０点で飲料用容器支持台１を設置することができ、さらに上支持板１ａと下支持板１ｂとでより強固に支持用の飲料用容器３ａを保持することができる。
【００３７】
［第五の実施の形態］
図６の第五の実施の形態の飲料用容器支持台１に示す様に上支持板１ａ及び／又は下支持板１ｂに係止手段を設けることができる。この係止手段としては、支持孔５または、引掛孔７の周縁から孔中心に向けて放射状に切り込みを設けて形成した可撓性を有する係止部８をその先端領域が飲料用容器３に係止する様にする例を挙げることができる。
【００３８】
図示しないが飲料用容器支持台１は夜間などの設置位置確認のため位置確認手段を有しているのが良く、例として光の反射機能を有する反射板、反射シール等の反射材や、蓄光機能を有する、蓄光石、蓄光タイル、蓄光塗料、蓄光ペレット、蓄光球、等の蓄光材等を備えるのがよい。また飲料用容器支持台１の板状部材２に太陽電池パネルを用いるなどの手段によって、この発明の飲料用容器支持台１を太陽光発電装置、風力発電装置、水力発電装置等と連係して発電機能及び蓄電機能を有する様にすることもできる。
【００３９】
［第六の実施の形態］
第六の実施の形態に示す様に飲料用容器支持台１に利用する支持用の飲料用容器３ａに容器体用蓋体９を備えてペットボトルやアルミ缶を再利用することができる。
図７（ａ）に断面図を示すように容器体用蓋体９は、上面を塞いだ略円筒状本体９１における側壁面内側に、雌ネジ螺合部９２を有する。雌ネジ螺合部９２は、ペットボトル等の飲料用容器３の注ぎ口部の雄ネジ螺合部（図示せず）に着脱自在に螺合する。
【００４０】
この容器体用蓋体９は、本体上面にネジ部材９３を有する。この第六の実施の形態ではネジ部材９３は、雌ネジ螺合部９２の連結方向とは対の連結方向である例を示し、かつネジ部材９３が雌ネジ部材の例を示す。図６（ｂ）に示すようにネジ部材９３は、雄ネジ部材であってもよい。但し、雄ネジ部材である場合に、雄ネジ部材が円筒状本体９１上面から突出する突起異物となるのに対し、ネジ部材９３が雌ネジ部材である場合には、容器体用蓋体９全体を特には突起異物のない略円筒状にすることができ、児童若しくは高齢者の取り扱いその他家庭用に用いる場合についても、取り扱いの安全を図ることができる。
【００４１】
図７（ｃ）に示すように、ネジ部材９３は、ネジ部材９３と着脱自在に螺合する他ネジ部材９４を有する。他ネジ部材９４は、他ネジ部材ネジ部９４１と機能部９４２を有する。
ここでは、ネジ部材９３は雌ネジを備え、他ネジ部材９４は雄ネジを備える例を示すが、ネジ部材９３が雄ネジを備え、他ネジ部材９４が雌ネジを備えてもよい。
【００４２】
図８（ａ）に示すように他ネジ部材９４は、固設用留め機能部９４２ａである略円形コイン状の上面における下側に他ネジ部材ネジ部９４１を断面略Ｔ字型状の略直立棒状に備える。それにより他ネジ部材９４とネジ部材９３とを螺合して他ネジ部材９４の固設用留め機能部９４２ａとネジ部材９３における螺合挿入端部９３ａとによって挟持機能を備える。
【００４３】
図８（ｂ）に示すように、固設用留め機能部９４２ａを有する他ネジ部材９４を有する容器体用蓋体９は、容器体用蓋体９と着脱自在に螺合する飲料用容器３と、ある程度加工したテーブル部材１０とを組み合わせることによって、ペットボトルやアルミ缶等の飲料用容器３をテーブル部材１０の脚部材として再利用することができる。
【００４４】
容器体用蓋体９と飲料用容器３とテーブル部材１０とを組み合わせるには、先ず飲料用容器３と容器体用蓋体９とを螺合する。次に、容器体用蓋体９のネジ部材９３から他ネジ部材９４を螺合分離する。次いで、他ネジ部材９４における他ネジ部材ネジ部９４１をテーブル部材１０の連通孔１０ａに挿入し、他ネジ部材９４と、ネジ部材９３と、を螺合してテーブル部材１０を挟持する。
テーブル部材１０を挟持する際に連通孔１０ａは、他ネジ部材ネジ部９４１が挿入できる程度の孔径でかつ固設用留め機能部９４２をテーブル部材１０上面に引掛できる程度の孔径とされる。
【００４５】
［第七の実施の形態］
【００４６】
図９（ａ）に示すように容器体用蓋体９は、上面を塞いだ略円筒状本体９１における側壁面内側に、雌ネジ螺合部９２を有し、本体上面にネジ部材９３を有し、さらにネジ部材９３と着脱自在に螺合する他ネジ部材９４を有する。
他ネジ部材９４は、機能部として連結機能部９４２ｂを有し、その略円形コイン状の中間面である連結機能部９４２ｂを断面略十字型状に上下に貫通する態様で他ネジ部材ネジ部９４１を略直立棒状に備えている。したがって他ネジ部材９４における下側雄ネジ部９４１ａとネジ部材９３とを螺合し、さらに上側雄ネジ部９４１ｂは螺合連結機能を備える。
【００４７】
図９（ｂ）に示すように、連結機能部９４２ｂを有する他ネジ部材９４を有する容器体用蓋体９は、容器体用蓋体９と着脱自在に螺合する飲料用容器３と、懐中電灯等の定位置に保持したい要保持部材１１と、を組み合わせることによって、飲料用容器３を保持用脚部材としてペットボトルやアルミ缶を再利用することができる。
容器体用蓋体９と飲料用容器３と要保持部材１１とを組み合わせる際には、先ず容器体用蓋体９と飲料用容器３とを螺合し、次いで容器体用蓋体９におけるネジ部材９３と他ネジ部材９４が螺合している状態で他ネジ部材９４の上側雄ネジ部９４１ｂに要保持部材１１を螺合連結する。その状態で、他ネジ部材９４の下側雄ネジ部９４１ａと、ネジ部材９３との螺合位置の調整によって要保持部材１１の高さを調節する。
要保持部材１１は、上側雄ネジ部９４１ｂと螺合連結する雌ネジ部を有する既存の各種パーツ若しくは器機を用いることができる。
【００４８】
［第八の実施の形態］
【００４９】
第八の実施の形態では図１０（ａ）に示すように他ネジ部材９４は、機能部９４２としてリング状の連通機能部９４２ｃを有し、連通機能部９４２ｃの下側に略直立棒状の他ネジ部材ネジ部９４１を備えている。
ここではリング状の連通機能部９４２ｃは水平方向に連通しており、他ネジ部材ネジ部９４１は連通機能部９４２ｃに対し垂直方向に備えてある例を示す。連通機能部９４２ｃは垂直上下方向とすることもできる。他ネジ部材９４とネジ部材９３とを螺合して配置することによって連通機能部９４２ｃによって連通機能が発揮される。
【００５０】
図１０（ｂ）に示すように、連通機能部９４２ｃを有する他ネジ部材９４を有する容器体用蓋体９は、容器体用蓋体９と着脱自在に螺合する飲料用容器３と、掛け渡し棒材１２と、を組み合わせることによって、飲料用容器３であるペットボトルやアルミ缶を衣類等１３を乾かすための物干し台用脚材１４として再利用することができる。
容器体用蓋体９と飲料用容器３と掛け渡し棒材１２とを組み合わせる際には、先ず容器体用蓋体９と飲料用容器３とを螺合した状態の物干し台用脚材１４を一対準備する。次に容器体用蓋体９におけるネジ部材９３に他ネジ部材９４を螺合して固定する。次いで、他ネジ部材９４のリング状の連通機能部９４２ｃに掛け渡し棒材１２を連通し、２つの物干し台用脚材１４で、掛け渡し棒材１２を持ち上げ支持する。言うまでもなく掛け渡し棒材１２は、連通機能部９４２ｃに連通する程度の太さを有する。また、掛け渡し棒材１２に対し直接衣類等１３を掛け乾燥させる、ハンガー等を掛けて衣類等を乾かす等、その使用態様は多様である。
【００５１】
この発明の実施の形態若しくはその利用態様は、以上には限定されず、上面を塞いだ略円筒状本体９１における側壁面内側に、雌ネジ螺合部９２を有し、本体上面にネジ部材９３を有し、ネジ部材９３はネジ部材９３と着脱自在に螺合する他ネジ部材９４を有する容器体用蓋体９と、ペットボトル等の飲料用容器３と、を組み合わせて、玩具として再利用することができる。
【図面の簡単な説明】
【００５２】
【図１】この発明の第一の実施の形態の飲料用容器支持台の（ａ）斜視図、（ｂ）使用態様を示す斜視図である。
【図２】この発明の構成の説明に用いた（ａ）斜視図、（ｂ）他の斜視図である。
【図３】この発明の第二の実施の形態の飲料用容器支持台の（ａ）斜視図、（ｂ）使用態様を示す斜視図である。
【図４】この発明の第三の実施の形態の飲料用容器支持台の（ａ）斜視図、（ｂ）使用態様を示す斜視図である。
【図５】この発明の第四の実施の形態の飲料用容器支持台の（ａ）斜視図、（ｂ）使用態様を示す斜視図である。
【図６】この発明の第五の実施の形態の飲料用容器支持台の部分拡大斜視図である。
【図７】この発明の第六の実施の形態の容器用蓋の（ａ）断面図、（ｂ）他の態様を示す断面図、（ｃ）さらに他の態様を示す断面図である。
【図８】この発明の第六の実施の形態の容器用蓋の（ａ）断面図、（ｂ）使用態様を示す斜視図である。
【図９】この発明の第七の実施の形態の容器用蓋の（ａ）断面図、（ｂ）使用態様を示す斜視図である。
【図１０】この発明の第八の実施の形態の容器用蓋の（ａ）断面図、（ｂ）使用態様を示す斜視図である。
【図１１】飲料用容器であるペットボトルの一般的構成を示す一部側面図である。
【符号の説明】
【００５３】
１・・・飲料用容器支持台、１ａ・・・上支持板、１ｂ・・・下支持板、２・・・板状部材、３・・・飲料用容器、３ａ・・・支持用の飲料用容器、３ｂ・・・保持用の飲料用容器、５・・・支持孔、７・・・引掛孔、６・・・鍔部、４・・・胴部、８・・・係止部、９・・・容器体用蓋体、９２・・・雌ネジ螺合部、９３・・・ネジ部材、９４・・・他ネジ部材、９４１・・・他ネジ部材ネジ部、９４２ａ・・・固設用留め機能部、９４２ｂ・・・連結機能部、９４２ｃ・・・連通機能部、１０・・・テーブル部材。
【図１】
2010023861.tif 000003
【図２】
2010023861.tif 000004
【図３】
2010023861.tif 000005
【図４】
2010023861.tif 000006
【図５】
2010023861.tif 000007
【図６】
2010023861.tif 000008
【図７】
2010023861.tif 000009
【図８】
2010023861.tif 000010
【図９】
2010023861.tif 000011
【図１０】
2010023861.tif 000012
【図１１】
2010023861.tif 000013